(57)【特許請求の範囲】
【請求項１】
第１光ケーブルの第１光ファイバ心線と第２光ケーブルの第２光ファイバ心線とを接続する光ファイバ接続用クロージャに搭載されたファイバ収容トレイに、前記第１光ファイバ心線及び前記第２光ファイバ心線を含む複数種類の光ファイバ心線を収容する光ファイバ収容方法であって、
前記ファイバ収容トレイとして、一列に配置された３つの心線収容部を有し、
両側に位置する心線収容部における中間に位置する心線収容部に隣接した部位に、前記複数種類の光ファイバ心線のいずれかである互いに異なる光ファイバ心線同士の接続部を装着するための接続部装着部が前記ファイバ収容トレイの奥行き方向に延びるように設けられたものを用い、
前記複数種類の光ファイバ心線が前記第１光ファイバ心線側から前記第２光ファイバ心線側に向けて前記心線収容部の配列方向に沿って前記各心線収容部に順番に渡るように、前記各心線収容部に１種類または２種類の光ファイバ心線を収容すると共に、
前記心線収容部に２種類の光ファイバ心線を収容する場合には、前記２種類の光ファイバ心線の少なくとも一方を１周以上巻かないように収容することを特徴とする光ファイバ収容方法。
【発明の詳細な説明】
【技術分野】
【０００１】
本発明は、光ファイバ接続用クロージャのファイバ収容トレイに光ファイバ心線を収容する光ファイバ収容方法に関するものである。
【背景技術】
【０００２】
光ファイバによる光伝送系を構築する場合、光ファイバ接続用クロージャにより幹線側の光ファイバ心線と加入者側の光ファイバ心線とを接続する。一般に、幹線側の光ファイバ心線はテープ心線であり、加入者側の光ファイバ心線は単心ファイバである。テープ心線は、単心分離を施したり、分岐心線と呼ばれる予め補強された単心ファイバに接続して成端することで、単心ファイバとの接続が可能である。
【０００３】
また、ＰＤＳ（Passive Double Star）回線では、幹線側の光ファイバ心線と加入者側の光ファイバ心線との間に、光スプリッタと呼ばれる光分岐器を介在させる接続形態が一般的である。光スプリッタは、導波路チップを介して出力側へ光信号を分岐する。光スプリッタの入力側の心線種は単心ファイバであるが、光スプリッタの出力側の心線種は、テープ心線であったり単心ファイバであったりする。
【０００４】
更に言えば、加入者側の光ファイバ心線についても、線形が０．２５ｍｍの単心ファイバであったり、線形が０．５ｍｍの単心ファイバであったり、或いはテープ心線であったりと、複数の心線種が存在する。
【０００５】
心線種が異なる光ファイバ心線をファイバ収容トレイの同一の収容領域で混在させた場合には、必要な光ファイバ心線のみを取り出すことが困難になる。また、心線種の違いにより光ファイバ心線自体の曲げ剛性が異なることから、場合によっては所望の光伝送特性が得られないレベルの曲げが局所的に発生することがある。
【０００６】
このような問題を回避するため、従来では、複数のファイバ収容トレイを積層し、心線種が異なる光ファイバ心線をファイバ収容トレイの各層毎に分けていた。例えば特許文献１に記載の光ファイバ接続用クロージャでは、下部伸ばし成端トレイとＤＳ／Ｒ／ＴＤ成端トレイとドロップ成端トレイとスプリッタトレイとが積層状態で光クロージャ内に配置されている。
【先行技術文献】
【特許文献】
【０００７】
【特許文献１】特開２００７−１２１６０３号公報
【発明の概要】
【発明が解決しようとする課題】
【０００８】
しかしながら、上記従来技術においては、以下の問題点が存在する。即ち、心線種の異なる光ファイバ心線が互いに異なるファイバ収容トレイに収容されるため、スペースが限られる光ファイバ接続用クロージャ内に配置される光スプリッタの数や光ファイバ心線同士の接続部の数が限定されてしまう。
【０００９】
本発明の目的は、心線種が異なる光ファイバ心線を混在させないようにファイバ収容トレイにスペース効率良く収容することができる光ファイバ収容方法を提供することである。
【課題を解決するための手段】
【００１０】
本発明は、第１光ケーブルの第１光ファイバ心線と第２光ケーブルの第２光ファイバ心線とを接続する光ファイバ接続用クロージャに搭載されたファイバ収容トレイに、第１光ファイバ心線及び第２光ファイバ心線を含む複数種類の光ファイバ心線を収容する光ファイバ収容方法であって、ファイバ収容トレイとして、一列に配置された３つの心線収容部を有し、両側に位置する心線収容部における中間に位置する心線収容部に隣接した部位に、複数種類の光ファイバ心線のいずれかである互いに異なる光ファイバ心線同士の接続部を装着するための接続部装着部がファイバ収容トレイの奥行き方向に延びるように設けられたものを用い、複数種類の光ファイバ心線が第１光ファイバ心線側から第２光ファイバ心線側に向けて心線収容部の配列方向に沿って各心線収容部に順番に渡るように、各心線収容部に１種類または２種類の光ファイバ心線を収容すると共に、心線収容部に２種類の光ファイバ心線を収容する場合には、２種類の光ファイバ心線の少なくとも一方を１周以上巻かないように収容することを特徴とするものである。
【００１１】
このように本発明の光ファイバ収容方法においては、ファイバ収容トレイの各心線収容部に１種類または２種類の光ファイバ心線を収容することにより、光ファイバ心線の心線種毎に異なるファイバ収容トレイに光ファイバ心線を収容しなくて済むため、心線種が異なる光ファイバ心線をファイバ収容トレイにスペース効率良く収容することができる。また、心線収容部に１種類のみの光ファイバ心線を収容するか、或いは心線収容部に２種類の光ファイバ心線を収容する場合でも、２種類の光ファイバ心線の少なくとも一方を１周以上巻かないように収容することにより、ファイバ収容トレイにおける心線種が異なる光ファイバ心線の混在を抑制することができる。
【００１２】
また、例えば光スプリッタを有する接続形態を採用しても、心線種が異なる光ファイバ心線をファイバ収容トレイにスペース効率良く収容することができると共に、ファイバ収容トレイにおける心線種が異なる光ファイバ心線の混在を抑制することができる。また、ファイバ収容トレイにおいて光ファイバ心線の配線が煩雑化することが防止される。
【００１３】
さらに、例えば光ファイバ心線がファイバ収容トレイの背面側（奥側）から導入される構造では、光ファイバ心線導入部から接続部装着部までの光ファイバ心線の長さを十分短くすることができる。
【発明の効果】
【００１４】
本発明によれば、心線種が異なる光ファイバ心線を混在させないようにファイバ収容トレイにスペース効率良く収容することができる。これにより、ファイバ収容トレイから必要な種類の光ファイバ心線のみを容易に取り出すことが可能となる。また、光ファイバ心線の種類毎に曲げ剛性が異なることに起因する光ファイバ心線の局所的な曲げが防止されるため、光ファイバ心線の所望の光伝送特性を確保することが可能となる。
【図面の簡単な説明】
【００１５】
【図１】本発明に係わる光ファイバ収容方法の一実施形態が適用される光ファイバ接続用クロージャを示す斜視図である。
【図２】図１に示した光ファイバ接続用クロージャにおける主要なトレイを除いた部分を示す斜視図である。
【図３】図１に示した心線接続トレイ群の斜視図である。
【図４】図３に示した心線接続トレイにおける光ファイバ心線の配線形態を示す平面図である。
【図５】図１に示した光ファイバ接続用クロージャにおいて心線通過トレイが上方に傾斜した状態を示す斜視図である。
【図６】図５に示した光ファイバ接続用クロージャにおいて下部延ばしトレイが心線通過トレイに対して開いた状態を示す斜視図である。
【図７】図１に示した光ファイバ接続用クロージャにおいて主要なトレイがトレイ押さえ板によりフレーム体に対して固定された状態を示す斜視図である。
【発明を実施するための形態】
【００１６】
以下、本発明に係わる光ファイバ収容方法の好適な実施形態について、図面を参照して詳細に説明する。
【００１７】
図１は、本発明に係わる光ファイバ収容方法の一実施形態が適用される光ファイバ接続用クロージャを示す斜視図である。同図において、本実施形態の光ファイバ接続用クロージャ（以下、単にクロージャ）１は、架空において局側の幹線主ケーブル２に内蔵された光ファイバ心線３と加入者側の分岐ケーブル４に内蔵された光ファイバ心線５とを接続する機器であり、ＰＤＳ（Passive Double Star）回線システムにおいて使用される。
【００１８】
クロージャ１は、幹線主ケーブル２及び分岐ケーブル４が導入される筐体（図示せず）に固定されるフレーム体６を備えている。図２に示すように、フレーム体６の中央部には、トレイ固定ベース板７が取り付けられている。また、フレーム体６におけるトレイ固定ベース板７の左右両側には、トレイ固定ベース板８がそれぞれ取り付けられている。
【００１９】
トレイ固定ベース板７には、複数（ここでは４つ）の心線接続トレイ群９が固定されている。心線接続トレイ群９は、図３に示すように、互いに開閉可能な複数枚（ここでは４枚）の心線接続トレイ（ファイバ収容トレイ）１０からなっている。
【００２０】
心線接続トレイ１０は、長手方向に一列に配置された心線収容部１１〜１３を有している。心線収容部１２は、心線収容部１１，１３の間に設けられている。
【００２１】
心線収容部１１の奥側（背面側）端部には、光ファイバ心線を導入するための心線導入部１４が設けられている。心線収容部１１における心線収容部１２に隣接した部位には、異なる光ファイバ心線同士の融着接続部Ｓ１（図４参照）を位置決めして装着するための接続部装着部１５が設けられている。接続部装着部１５は、心線接続トレイ１０の奥行き方向に延びるように設けられている。心線収容部１１には、光ファイバ心線の余長を巻いて収容するときに光ファイバ心線をガイドするための余長ガイド部１６が設けられている。また、心線収容部１１には、光ファイバ心線を押さえるための複数の押さえ板１７が設けられている。
【００２２】
心線収容部１３の奥側端部には、光ファイバ心線を導入するための心線導入部１８が設けられている。心線収容部１３における心線収容部１２に隣接した部位には、異なる光ファイバ心線同士の融着接続部Ｓ２（図４参照）を位置決めして装着するための接続部装着部１９が設けられている。接続部装着部１９は、心線接続トレイ１０の奥行き方向に延びるように設けられている。心線収容部１３には、光ファイバ心線の余長を巻いて収容するときに光ファイバ心線をガイドするための余長ガイド部２０が設けられている。また、心線収容部１３には、光ファイバ心線を押さえるための複数の押さえ板２１が設けられている。
【００２３】
心線収容部１１，１２の境界部分の奥側端部には、心線収容部１１，１２間で光ファイバ心線を導くための心線ガイド部２２が設けられている。心線収容部１２，１３の境界部分の奥側端部には、心線収容部１２，１３間で光ファイバ心線を導くための心線ガイド部２３が設けられている。
【００２４】
心線収容部１２には、光スプリッタ２４（図４参照）を位置決めして装着するためのスプリッタ装着部２５が設けられている。スプリッタ装着部２５は、心線収容部１２の奥側端部の近傍に配置されている。心線収容部１２には、光ファイバ心線の余長を巻いて収容するときに光ファイバ心線をガイドするための余長ガイド部２６が設けられている。また、心線収容部１２には、光ファイバ心線を押さえるための複数の押さえ板２７が設けられている。
【００２５】
光スプリッタ２４は、図４に示すように、１つの光信号を８つの光信号に分岐させる（１×８）型の光分岐器であり、１本の入力光ファイバ心線２８と複数本の出力光ファイバ心線２９とを有している。入力光ファイバ心線２８は、例えば線径が０．２５ｍｍの単心光ファイバ心線である。入力光ファイバ心線２８の許容曲げ半径Ｒは、３０ｍｍまたは１５ｍｍである。出力光ファイバ心線２９は、例えば４心ファイバテープ心線で形成されている。なお、出力光ファイバ心線２９は、補強された単心光ファイバ心線であっても良く、この場合の許容曲げ半径Ｒは、３０ｍｍまたは１５ｍｍである。
【００２６】
心線収容部１１〜１３には、複数種類の光ファイバ心線が幹線主ケーブル２側から分岐ケーブル４側に向かって心線収容部１１〜１３の配列方向に沿って順番に渡るように収容される。具体的には、以下のようにして光ファイバ心線３の下流側に位置する複数種類の光ファイバ心線を心線収容部１１〜１３に収容する。光ファイバ心線３は、ここでは４心光ファイバテープ心線である。
【００２７】
心線収容部１１には、幹線主ケーブル２から延び出た１本の光ファイバ心線３０と光スプリッタ２４の入力光ファイバ心線２８との接続部分を収容する。ここでは、光ファイバ心線３（４心光ファイバテープ心線）を単心分離させることで、光ファイバ心線３０を形成する。つまり、光ファイバ心線３０は単心光ファイバ心線である。光ファイバ心線３０の線径は０．２５ｍｍであり、光ファイバ心線３０の許容曲げ半径Ｒは３０ｍｍである。そして、複数本の光ファイバ心線３０のうちの１本を切断する。
【００２８】
また、心線収容部１２のスプリッタ装着部２５に光スプリッタ２４を装着する。そして、切断された光ファイバ心線３０と光スプリッタ２４の入力光ファイバ心線２８とを融着接続する。
【００２９】
そして、入力光ファイバ心線２８を余長ガイド部１６に沿って必要な周回だけ巻回すると共に、光ファイバ心線３０と入力光ファイバ心線２８とを融着接続部Ｓ１を接続部装着部１５に装着する。接続部装着部１５は、心線収容部１１における心線収容部１２に隣接した部位に心線接続トレイ１０の奥行き方向に延びるように設けられているので、心線導入部１４から接続部装着部１５までの光ファイバ心線３０の長さを必要最小限に短くすることができる。このように心線収容部１１には、心線種が同じである単心の光ファイバ心線２８，３０が収容されることになる。
【００３０】
心線収容部１２には、光スプリッタ２４の入力光ファイバ心線２８及び出力光ファイバ心線２９を収容する。光スプリッタ２４が装着されるスプリッタ装着部２５は、心線収容部１２の奥側端部付近に設けられている。このため、心線導入部２２からスプリッタ装着部２５までの入力光ファイバ心線２８の長さが十分短くなる。出力光ファイバ心線２９は、余長ガイド部２６に沿って必要な周回だけ巻回される。このとき、入力光ファイバ心線２８の長さは十分短いので、心線収容部１２における心線種が異なる光ファイバ心線２８，２９の混在が抑えられ、光ファイバ心線２８，２９が取り出しにくくなることは無い。
【００３１】
心線収容部１３には、複数の出力光ファイバ心線２９と複数の光ファイバ心線５との接続部分を収容する。光ファイバ心線５は、出力光ファイバ心線２９と同様に４心ファイバテープ心線で形成されていても良いし、線径が０．５ｍｍまたは０．２５ｍｍの単心光ファイバ心線であっても良い。
【００３２】
まず出力光ファイバ心線２９と光ファイバ心線５とを融着接続し、その融着接続部Ｓ２を接続部装着部１９に装着すると共に、出力光ファイバ心線２９及び光ファイバ心線５を余長ガイド部２０に沿って必要な周回だけ巻回する。このとき、出力光ファイバ心線２９及び光ファイバ心線５の何れか一方は、余長ガイド部２０に沿って１周以上巻くことは無い。このため、心線収容部１３における心線種が異なる光ファイバ心線５，２９の混在が抑えられ、光ファイバ心線５，２９が取り出しにくくなることは無い。
【００３３】
図１に戻り、心線接続トレイ群９の下側には、補助心線接続トレイ３１，３２が配置されている。補助心線接続トレイ３１，３２は、図２に示すように、トレイ固定ベース板７に上下方向に回動可能に取り付けられている。
【００３４】
心線接続トレイ群９の上側には、心線通過トレイ３３が配置されている。心線通過トレイ３３は、幹線主ケーブル２の中間部分の外被を除去して露出された複数本の光ファイバ心線３及びそれを単心分離させた光ファイバ心線３０を収容するためのトレイである。単心分離された複数本の光ファイバ心線３０のうち一部の光ファイバ心線３０は、切断されて上記の光スプリッタ２４と接続され、残りの光ファイバ心線３０は、心線通過トレイ３３にそのまま通過するように収容される。
【００３５】
心線通過トレイ３３は、各トレイ固定ベース板８（図２参照）に上下方向に回動可能に取り付けられている。これにより、心線通過トレイ３３は、図５に示すように、心線接続トレイ群９に対して上方に傾くことが可能となる。このとき、心線通過トレイ３３は、心線接続トレイ群９に対して上方に３０度程度傾いた状態で保持可能となるように構成されている。これにより、心線接続トレイ群９の上方に作業空間が形成されるようになるため、心線接続トレイ１０に対する作業空間を確保するために心線接続トレイ群９を手前側に引き出すための機構を設けなくて済む。各トレイ固定ベース板８には、心線通過トレイ３３を心線接続トレイ群９に対して水平状態に保つための支持アーム３６が設けられている。
【００３６】
心線通過トレイ３３を上方に傾けたときは、心線通過トレイ３３の心線導入部３４が幹線主ケーブル２に近づくようになるため、光ファイバ心線３の引きつれが発生せず、光ファイバ心線３に与える影響は少ない。
【００３７】
心線通過トレイ３３の下部には、図６に示すように、下部延ばしトレイ３７が心線通過トレイ３３に対して奥側（背面側）の回転軸を中心として開閉可能に設けられている。下部延ばしとは、例えば加入者が光通信の契約を解除したために光スプリッタ２４を撤去する場合に、光スプリッタ２４の入力光ファイバ心線２８と光ファイバ心線３０との接続を外し、その光ファイバ心線３０を元の光ファイバ心線３０と再度接続する、つまり切断された光ファイバ心線３０同士を再度接続することである。下部延ばしトレイ３７は、下部延ばしを実施した光ファイバ心線３０同士の再接続部を収容するためのトレイである。
【００３８】
心線接続トレイ群９の左右いずれか一方の側には、心線接続トレイ１０と心線通過トレイ３３との間に存在する光ファイバ心線３０の余長を収容するための余長収容ポケット４３が設けられている。余長収容ポケット４３は、クロージャ１の上流側に対応する側に設けられている。ここでは、クロージャ１の左側が上流側であるとして、余長収容ポケット４３は心線接続トレイ群９の左側に設けられている。
【００３９】
余長収容ポケット４３は、トレイ固定ベース板８の一部を形成するポケットベース板４４と、このポケットベース板４４に着脱可能に取り付けられ、心線接続トレイ１０と心線通過トレイ３３との間に存在する光ファイバ心線３０をポケットベース板４４に対して押さえる押さえ板４５とからなっている。これにより、光ファイバ心線３０を保護することができる。
【００４０】
また、押さえ板４５をポケットベース板４４に対して着脱可能な構造とすることにより、クロージャ１の上流側の位置に応じて押さえ板４５を付け替えれば良いため、押さえ板４５としては１枚だけあれば足りる。
【００４１】
補助心線接続トレイ３２には、図７に示すように、心線接続トレイ群９、補助心線接続トレイ３１，３２、心線通過トレイ３３及び下部延ばしトレイ３７をフレーム体６に対して動かないように固定するためのトレイ押さえ板４８が取り付けられている。
【００４２】
以上のように本実施形態においては、心線接続トレイ１０の心線収容部１１〜１３に、幹線主ケーブル２と分岐ケーブル４との間の複数種類の光ファイバ心線を心線収容部１１〜１３の配列方向に順番に渡るように収容する。具体的には、心線収容部１１に同じ心線種である単心の光ファイバ心線２８，３０及び両者の融着接続部Ｓ１を収容し、心線収容部１２に異なる心線種の光ファイバ心線２８，２９を光スプリッタ２４と共に収容し、心線収容部１３に同じ心線種または異なる心線種の光ファイバ心線５，２９及び両者の融着接続部Ｓ２を収容する。これにより、心線種毎に異なる心線接続トレイに光ファイバ心線を収容しなくて済むため、複数種類の光ファイバ心線を心線接続トレイ１０にスペース効率良く収容することができる。
【００４３】
また、１枚の心線接続トレイ１０に１つの光スプリッタ２４及び２つの融着接続部Ｓ１，Ｓ２が収容されるため、複数の心線接続トレイ１０をクロージャ１内の限られたスペースに配置する場合でも、多く（ここでは１６個）の光スプリッタ２４を搭載することができる。また、光スプリッタ２４毎に収容層が分けられることになるので、識別性及び作業性が良くなる。
【００４４】
このとき、心線収容部１２内に収容された光ファイバ心線２８及び心線収容部１３内に収容された光ファイバ心線２９は、何れも１周未満しか巻かれていない。このため、心線収容部１２に２種類の光ファイバ心線２８，２９が収容されているにもかかわらず、光ファイバ心線２８，２９の混在が抑えられるため、見た目が良くなるうえに、上述したように心線収容部１２から光ファイバ心線２８，２９を容易に取り出すことができる。また、心線収容部１３に収容されている光ファイバ心線５，２９の種類が異なる場合でも、光ファイバ心線５，２９の混在が抑えられるため、見た目が良くなるうえに、上述したように心線収容部１３から光ファイバ心線５，２９を容易に取り出すことができる。
【００４５】
また、心線種が異なると光ファイバ心線の曲げ剛性が変わるため、心線種の異なる２種類の光ファイバ心線が同じ心線収容部に収容される場合には、光ファイバ心線の局所的な曲げが発生することがある。しかし、心線収容部１２内に収容された光ファイバ心線２８及び心線収容部１３内に収容された光ファイバ心線２９は、何れも１周以上巻かれていないため、光ファイバ心線５，２８，２９の局所的な曲げは発生しにくい。これにより、光ファイバ心線５，２８，２９の所望の光伝送特性を確保することができる。
【００４６】
なお、本発明は、上記実施形態に限定されるものではない。例えば上記実施形態では、心線接続トレイ１０が一列に配置された３つの心線収容部１１〜１３を有しているが、使用する心線接続トレイとしては、複数の心線収容部を有するものであれば良い。
【００４７】
また、上記実施形態のクロージャ１は、幹線主ケーブル２の光ファイバ心線３と分岐ケーブル４の光ファイバ心線５との間に光スプリッタ２４を介在させる接続形態であるが、本発明は、幹線主ケーブル２の光ファイバ心線３と分岐ケーブル４の光ファイバ心線５とを接続するものであれば適用可能である。
【符号の説明】
【００４８】
１…光ファイバ接続用クロージャ、２…幹線主ケーブル（第１光ケーブル）、３…光ファイバ心線（第１光ファイバ心線）、４…分岐ケーブル（第２光ケーブル）、５…光ファイバ心線（第２光ファイバ心線）、１０…心線接続トレイ（ファイバ収容トレイ）、１１〜１３…心線収容部、１５，１９…接続部装着部、２４…光スプリッタ、２８…入力光ファイバ心線、２９…出力光ファイバ心線、３０…光ファイバ心線（第１光ファイバ心線）、Ｓ１，Ｓ２…融着接続部。 
【図１】
0005629255.tif 000002
【図２】
0005629255.tif 000003
【図３】
0005629255.tif 000004
【図４】
0005629255.tif 000005
【図５】
0005629255.tif 000006
【図６】
0005629255.tif 000007
【図７】
0005629255.tif 000008